(57)【要約】  本発明は、ランプエンベロープ（２）を有する電気ランプであって、電気ランプ（１）の動作パラメータを検出するように構成されたセンサ系（７）が該ランプエンベロープ（２）に配置されていることを特徴とする電気ランプに関する。
2010510636.tif 000002
【特許請求の範囲】
【請求項１】
ランプエンベロープ（２）を有する電気ランプにおいて、
前記ランプエンベロープ（２）に、電気ランプ（１）の動作パラメータを検出するように構成されたセンサ系（７）が配置されていることを特徴とする電気ランプ。
【請求項２】
前記センサ系（７）は前記ランプエンベロープ（２）の外側（２１）に脱着可能に配置されている、請求項１記載の電気ランプ。
【請求項３】
前記センサ系（７）は前記ランプエンベロープ（２）の外側（２１）に、スライドによって被せられるように形成されている、請求項１または２記載の電気ランプ。
【請求項４】
前記センサ系（７）に、電気ランプ（１）の動作中に生成された光ビームによってエネルギーが供給されるように構成されている、請求項１から３までのいずれか１項記載の電気ランプ。
【請求項５】
前記センサ系（７）に、前記ランプエンベロープ（２）から流れる電流の容量出力結合を介してエネルギーが供給されるように構成されている、請求項１から３までのいずれか１項記載の電気ランプ。
【請求項６】
前記動作パラメータは、
電気ランプ（１）の周辺温度、および／または
電気ランプ（１）の動作時間、および／または
電気ランプ（１）の明るさ、および／または
前記ランプエンベロープ（２）の温度、および／または
電気ランプ（１）の周辺の眩しさ指数、および／または
ランプフィラメントの温度、および／または
周辺明るさ、および／または
ランプ電圧、および／または
波長選択性の放出測定結果
を含む、請求項１から５までのいずれか１項記載の電気ランプ。
【請求項７】
前記センサ系（７）は、評価ユニット（９）と無線通信するように構成されている、請求項１から６までのいずれか１項記載の電気ランプ。
【請求項８】
前記評価ユニット（９）は電気ランプ（１）の動作装置に配属されている、請求項７記載の電気ランプ。
【請求項９】
前記ランプエンベロープ（２）は管形で形成されており、とりわけ棒形の管として形成されている、請求項１から８までのいずれか１項記載の電気ランプ。
【発明の詳細な説明】
【技術分野】
【０００１】
本発明は、ランプエンベロープを備えた電気ランプに関し、とりわけ蛍光灯に関する。
【０００２】
従来技術
実に異なる種々の構成および機能の電気ランプは動作装置によって、とりわけ電子バラストによって動作する。その際には電子バラストには、ランプないしは発光体の周辺条件、汚染度または使用期間は未知である。それゆえ、すべての動作事例に適した動作モードが常に選択されるが、このような動作モードはしばしば、最適な動作に相応しないことが多い。
【０００３】
公知の手法では、商用電源によって給電されるセンサが使用され、これは配線の手間に繋がる。このような公知の構成の測定量検出は比較的低精度であり、このような構成が保証するのは、上記の問題の限られた改善のみである。
【０００４】
本発明の開示
本発明の課題は、動作をより効率的に行える電気ランプを提供することである。
【０００５】
前記課題は、請求項１に記載された特徴を備えた電気ランプによって解決される。
【０００６】
本発明の電気ランプは、センサ系が配置されたランプエンベロープを有し、該センサ系は、該電気ランプの動作パラメータを検出するように構成されている。センサ系を実際に、ランプエンベロープに直接取り付けることにより、ランプの瞬時の動作条件を格段に精確に検出することができ、このことによって動作を最適な動作に、格段に精確に、かつ要求により適した調整を行うことができる。
【０００７】
センサ系をランプエンベロープに取り付けるということは、ランプエンベロープの外側に取り付けるか、またはランプエンベロープの内側に取り付けることを指す。またこの記載は、センサ系をランプエンベロープの材料中に組み込んで配置することも指す。したがって、センサ系をランプ内に配置することもでき、たとえばランプのスリーブエンベロープの下に、とりわけ高圧放電ランプのスリーブエンベロープの下に配置することもできる。ランプエンベロープによって画定された放電空間内に、たとえばガラス化（Einglasung）によって気密に配置することもできる。
【０００８】
有利には、センサ系はランプエンベロープの外側に、脱着可能に配置される。それゆえ実際には、ランプエンベロープの形状および構成と、その基礎となる製造とに依存して、センサをどの製造段階でも取り付けることができる。さらに、欠陥時にはセンサを実際にいつでも簡単に交換することもできる。その際にはランプ全体を交換する必要はなく、センサ系の部品のみを交換すればよい。それゆえこのことは、小さい手間で、低減されたコストで行うことができる。
【０００９】
有利にはセンサ系は、ランプエンベロープの外側に被せることができる。センサ系は周部の保持エレメントに配置され、たとえば保持バンドに配置され、該保持エレメントはランプエンベロープの周部に被せられ、引き抜くことができるように設けることができる。このことにより、保持および簡単な取り付けないしは取り外しを行えることが保証される。また、センサ系を、ランプエンベロープにスライドして被せることが可能なクリップ等に配置することもできる。このようなクリップをランプエンベロープより小さい半径で形成することにより、スライドして取り付ける際に、センサ系をランプエンベロープの外側で安定的に保持することができる。
【００１０】
有利にはセンサ系は、動作中に生成された光放射によってエネルギー供給されるように構成される。センサ系はそのために、ランプの光ビームから供給エネルギーに直接変換することができるフォトセルを有することができる。
【００１１】
放電ランプの場合には、ランプエンベロープを流れる電流から容量出力結合を介してエネルギー供給を行えるように構成することもできる。こうするためにはたとえば、比較的細い２つのワイヤを相互に離隔して引き出し、センサ系に接続することができる。たとえばこれら２つのワイヤは、約５ｃｍの間隔で配置することができる。
【００１２】
また、たとえば銀等の導電性材料を、とりわけガラス等であるランプエンベロープの材料中に挿入することにより、高温時にランプフィラメント電圧からセンサ系のエネルギー供給が引き出されるように構成することもできる。その際には、ランプフィラメント電圧に重畳される高周波成分を、ランプの外側または内側のセンサ系によって容量的に取り出すことができる。
【００１３】
有利にはセンサ系は、１つまたは複数の動作パラメータを検出するために構成される。この動作パラメータは有利には、最適な効率に重要なランプの周辺温度、および／または、ランプを適時に交換するのに重要なランプの動作時間を含むことができる。さらに動作パラメータは、連続的な機能検査に重要なランプの明るさ、および／または、ランプの最適な効率に重要なランプエンベロープの温度を含むこともできる。さらに動作パラメータとして、たとえば非常用照明の場合に重要な周辺の眩しさ指数、および／または、たとえばフォトダイオードによる簡単なＩＲ（赤外線）測定を介して実現されるランプフィラメントの温度を考慮することもできる。このようなランプフィラメントの温度を介して、ランプのいわゆるエンドオブライフを早期に識別し、照明システムがさらに損傷されるかまたは破壊されるのを阻止することができる。
【００１４】
さらに動作パラメータとして、ランプ電圧上昇を考慮することができる。このランプ電圧上昇は、容量測定から直接導出することができる。
【００１５】
また、別の測定量として充填ガスの放出線の識別を利用することもできる。８００ｎｍを超える波長に対するスペクトル感度による簡単な検出器によって、このパラメータを検出することができる。Ｈｇランプでは、寿命の最後には水銀が不足するので、このようなことは比較的高頻度で発生する。
【００１６】
動作パラメータとして周辺明るさも検出することができる。周辺明るさも、ランプ動作の効率に重要である。光センサによって検出された周辺明るさに依存して、ランプの制御および調光を行うことができる。
【００１７】
したがって、ランプの多数の動作パラメータを検出するようにセンサ系を構成することにより、動作の最適な調整を改善することができる。有利にはセンサ系は、評価ユニットと無線通信するように構成される。評価ユニットは有利には、ランプの動作装置に配属され、とりわけ電子バラストに配属される。
【００１８】
ランプは有利には蛍光灯として構成され、この蛍光灯は有利には、管形に形成されたランプエンベロープを有する。このような管形のランプエンベロープは有利には、直線状ないしは棒形に形成される。
【００１９】
センサ系と評価ユニットとの間のデータ伝送はたとえば、ＲＦＩＤ（Radio Frequency Identification）、Ｂｌｕｅｔｏｏｔｈ、ＩＲＤＡ（Infrared Data Association）または別の無線伝送手段を介して実施することができる。
【００２０】
このようにして検出されたデータを介して、欠陥前にすでに、いわゆるエンドオブライフのランプに典型的な前兆（温度上昇、光電流降下、動作電圧上昇等）に基づいて、発光体の交換が必要であるという通知を生成することができる。このことはとりわけ、このような電気ランプの欠陥時に危険性が増す作業場所で重要である。
【００２１】
製造時にすでにセンサ系をランプエンベロープに取り付けるか、または設置時に初めて取り付けるかないしはスライド取り付けすることができる。本発明によって、従来はこのような精度で検出できなかったランプデータを検出することができる。インテリジェント動作装置によって欠落予測を外挿し、インタフェースを介してコントロールセンタへ電子的に転送することができる。ランプの交換間隔を長くすることができる。というのも、エンドオブライフになる前の測定パラメータに基づいて、発生する可能性のある欠落を示すことができるからだ。
【００２２】
前記センサ系は、上記の動作パラメータのうち１つまたは複数を検出するためのセンサを含むことができる。また、センサ系が少なくとも２つのセンサを含む構成も可能である。これら少なくとも２つのセンサは、ランプエンベロープの異なる位置に配置することもできる。
【００２３】
図面の簡単な説明
以下で、本発明の実施例を概略図に基づいて詳しく説明する。
【図面の簡単な説明】
【００２４】
【図１】本発明の電気ランプを示す。
【００２５】
本発明の有利な実施形態
この図には、蛍光灯として構成された電気ランプ１が示されており、該電気ランプはランプエンベロープ２を有する。ランプエンベロープ２はこの実施例では管形に形成されており、棒形に直線に延在する。ランプエンベロープ２の相互に対向する端部領域に、ソケット３および４が配置されており、これらのソケットにはそれぞれ２つの電気的端子コンタクト５ａおよび５ｂならびに６ａおよび６ｂが配置されている。図示されていない第１のランプフィラメントが端子コンタクト５ａおよび５ｂに接続されており、ソケット３の領域内に延在し、ランプエンベロープ２の内部に挿入される。相応に、第２のランプフィラメントはソケット４の領域内に延在してランプエンベロープ２内に挿入され、端子コンタクト６ａおよび６ｂに接続されている。
【００２６】
ランプエンベロープ２の外側２１にセンサ系７が脱着可能に配置されている。センサ系７は１つまたは複数のセンサを含み、このセンサは保持エレメント８に取り付けられている。保持エレメント８は、ランプエンベロープ２を完全に包囲するかまたは局所的にのみ包囲する被せリングとすることができる。このような被せリングは有利には、耐温性の材料から成り、センサ系７が外側２１に位置安定的に固定されるのを保証する。
【００２７】
この実施例では、センサ系７はソケット４に隣接しており、該ソケット４に対向するランプエンベロープ２の端部領域に配置される。この取り付け位置は単なる一例であり、センサ系をランプエンベロープ２の別の場所に取り付けることもできる。
【００２８】
この実施例ではこのようなセンサ系７によって、動作パラメータであるランプ１の周辺温度の値と、該ランプ１の動作時間の値と、該ランプ１の輝度の値と、該ランプ１のランプエンベロープ２の温度の値と、該ランプ１の周辺の眩しさ指数の値と、ソケット４の領域においてランプエンベロープ２内に突出するランプフィラメントの温度の値と、周辺明るさとが検出される。
【００２９】
さらにセンサ系７は、評価ユニット９と無線通信するように構成されている。評価ユニット９は有利には、ランプ１の動作装置に配属され、とりわけ電子バラスト（図示されていない）に配属される。その際に有利なのは、評価ユニット９を動作装置内に配置することである。センサ系７と動作装置９との間に単方向の無線通信インタフェースを形成し、有利には双方向の無線通信インタフェースを形成することができる。
【図１】
2010510636.tif 000003
【国際調査報告】
2010510636.tif 000004
2010510636.tif 000005
2010510636.tif 000006
2010510636.tif 000007
2010510636.tif 000008
2010510636.tif 000009